(57)【特許請求の範囲】
【請求項１】
印刷用の媒体の表面に粉末状の装飾体を付着させることで前記媒体の表面に装飾を施して文字や絵を描く印刷物の製造方法であって、
前記媒体の表面の、前記装飾体の付着領域に、粘着性を有し、色彩が前記装飾体の色彩と同色または同系色であるインクをインクジェットプリンターで塗布するインク塗布工程と、
前記装飾体を蒔いて前記インクに前記装飾体を付着させる装飾体付着工程と、
前記インク塗布工程後に前記インクを半硬化させるインク半硬化工程と、前記インクを完全硬化させるインク完全硬化工程とを備え、
前記インク半硬化工程後に前記装飾体付着工程を行い、前記装飾体付着工程後に前記インク完全硬化工程を行うことを特徴とする印刷物の製造方法。
【請求項２】
前記装飾体は、繊維状のフロッキー粉末、または、メタリック粉末であることを特徴とする請求項１記載の印刷物の製造方法。
【請求項３】
前記媒体の表面の前記付着領域の色彩と前記装飾体の色彩との、ＣＩＥ１９７６Ｌ＊ａ＊ｂ＊色空間における色差ΔＥの絶対値が３０以下であることを特徴とする請求項１または２記載の印刷物の製造方法。
【請求項４】
前記媒体の表面の前記付着領域の色彩と前記装飾体の色彩との、ＣＩＥ１９７６Ｌ＊ａ＊ｂ＊色空間における色差ΔＥの絶対値が５以下であることを特徴とする請求項３記載の印刷物の製造方法。
【発明の詳細な説明】
【技術分野】
【０００１】
本発明は、印刷用の媒体の表面に装飾が施されている印刷物の製造方法に関する。
【背景技術】
【０００２】
従来、接着剤によって基材紙に文字や絵のパターンを印刷するとともに、彩色されたフロッキー粉末を接着剤に植毛加工して固定することで形成されたフロッキング加工印刷物が知られている（たとえば、特許文献１参照）。
【先行技術文献】
【特許文献】
【０００３】
【特許文献１】特開２００４−３５１７２４号公報
【発明の概要】
【発明が解決しようとする課題】
【０００４】
一般に、フロッキー粉末は接着されにくいため、特許文献１に記載のフロッキング加工印刷物において、接着剤が塗布された領域の全体にフロッキー粉末を確実に付着させることは困難である。したがって、特許文献１に記載のフロッキング加工印刷物において、フロッキー粉末を用いて文字や絵を描く場合、フロッキー粉末によって文字や絵の全体像をはっきりさせることは困難である。また、特許文献１に記載のフロッキング加工印刷物において、フロッキー粉末を用いて文字や絵を描く場合、フロッキー粉末によって文字や絵の輪郭をはっきりさせることは難しい。以上の理由から、特許文献１に記載のフロッキング加工印刷物において、フロッキー粉末を用いて文字や絵を描く場合には、基材紙に描かれる文字や絵がぼやけてしまい、基材紙に描かれる文字や絵をはっきりと表現することは困難である。
【０００５】
そこで、本発明の課題は、粉末状の装飾体を用いて印刷用の媒体の表面に文字や絵等を描く場合であっても、描かれる文字や絵等をはっきりと表現することが可能な印刷物の製造方法を提供することにある。
【課題を解決するための手段】
【０００６】
上記の課題を解決するため、本発明の印刷物の製造方法は、印刷用の媒体の表面に粉末状の装飾体を付着させることで媒体の表面に装飾を施して文字や絵を描く印刷物の製造方法であって、媒体の表面の、装飾体の付着領域に、粘着性を有し、色彩が装飾体の色彩と同色または同系色であるインクをインクジェットプリンターで塗布するインク塗布工程と、装飾体を蒔いてインクに装飾体を付着させる装飾体付着工程と、インク塗布工程後にインクを半硬化させるインク半硬化工程と、インクを完全硬化させるインク完全硬化工程とを備え、インク半硬化工程後に装飾体付着工程を行い、装飾体付着工程後にインク完全硬化工程を行うことを特徴とする。
【０００７】
本発明では、媒体の表面の、装飾体の付着領域に、色彩が装飾体の色彩と同色または同系色であるインクが塗布されており、装飾体と同色または同系色の色彩が着色されている。そのため、本発明では、粉末状の装飾体を用いて媒体の表面に文字や絵等を描く場合に、付着領域の全体に装飾体を確実に付着させることができなくても、付着領域に着色された色彩によって文字や絵等の全体像をはっきりさせることが可能になる。また、本発明では、粉末状の装飾体を用いて媒体の表面に文字や絵等を描く場合に、装飾体によって文字や絵等の輪郭をはっきりさせることができなくても、付着領域に着色された色彩によって文字や絵等の輪郭をはっきりさせることが可能になる。したがって、本発明では、粉末状の装飾体を用いて印刷用の媒体の表面に文字や絵等を描く場合であっても、描かれる文字や絵等をはっきりと表現することが可能になる。また、本発明では、インクをインクジェットプリンターで媒体の表面の付着領域に塗布しているため、媒体の表面の付着領域に塗布されるインクの吐出量を非常に少なくすることが可能になる。したがって、塗布されたインクの広がりを容易に予測することが可能になる。そのため、媒体の表面の付着領域に高精度でインクを塗布することが可能になり、その結果、媒体の表面に文字や絵等の輪郭を精度良く描くことが可能になる。また、本発明の印刷物の製造方法は、インク塗布工程後にインクを半硬化させるインク半硬化工程と、インクを完全硬化させるインク完全硬化工程とを備え、インク半硬化工程後に装飾体付着工程を行い、装飾体付着工程後にインク完全硬化工程を行うため、インクジェットプリンターによって比較的粘度の低いインクが塗布されても、装飾体を付着させるときのインクのだれを防止することが可能になる。したがって、媒体の表面に文字や絵等を精度良く描くことが可能になる。
【０００８】
本発明において、装飾体は、たとえば、繊維状のフロッキー粉末、または、メタリック粉末である。
【０００９】
本発明において、媒体の表面の付着領域の色彩と装飾体の色彩との、ＣＩＥ１９７６Ｌ＊ａ＊ｂ＊色空間における色差ΔＥの絶対値は、たとえば、３０以下である。また、本発明において、媒体の表面の付着領域の色彩と装飾体の色彩との、ＣＩＥ１９７６Ｌ＊ａ＊ｂ＊色空間における色差ΔＥの絶対値が５以下であることが好ましい。このように構成すると、媒体表面の付着領域の色彩と装飾体の色彩との見分けがつかなくなるため、媒体の表面に描かれる文字や絵等をよりきれいに表現することが可能になる。
【発明の効果】
【００１２】
以上のように、本発明の印刷物の製造方法で印刷物を製造すると、粉末状の装飾体を用いて印刷用の媒体の表面に文字や絵等を描く場合であっても、描かれる文字や絵等をはっきりと表現することが可能になる。また、本発明の印刷物の製造方法で印刷物を製造すると、媒体の表面に文字や絵等の輪郭を精度良く描くことが可能になる。
【図面の簡単な説明】
【００１３】
【図１】本発明の実施の形態にかかる印刷物の平面図である。
【図２】図１に示す印刷物の断面図である。
【図３】図１に示す印刷物の製造方法を説明するための図である。
【図４】図１に示す印刷物の効果を説明するための図である。
【図５】本発明の他の実施の形態にかかる印刷物の製造方法を説明するための図である。
【図６】図５（Ｂ）に示す印刷物の効果を説明するための図である。
【発明を実施するための形態】
【００１４】
以下、図面を参照しながら、本発明の実施の形態を説明する。
【００１５】
（印刷物の構成）
図１は、本発明の実施の形態にかかる印刷物１の平面図である。図２は、図１に示す印刷物１の断面図である。
【００１６】
本形態の印刷物１は、印刷用の媒体２の表面に文字、絵（図形）および／または模様等が描かれたものである。この印刷物１では、媒体２の表面に粉末状の装飾体３を付着させることで媒体２の表面に装飾が施されている。印刷物１は、印刷用の媒体２と、装飾体３を媒体２の表面に付着させるインク４の層であるインク層５と、装飾体３の層である装飾層６とを備えている。媒体２は、樹脂製または紙製等の媒体である。本形態の媒体２は、たとえば、スマートフォンのカバーであり、樹脂材料で形成されている。
【００１７】
本形態の装飾体３は、繊維状のフロッキー粉末であり、天然植物繊維、合成繊維、あるいは、天然植物繊維と合成繊維との混合物等によって形成されている。装飾体３には、媒体２の表面の色と異なる色彩が着色されている。媒体２の表面には、設計上、装飾体３によって（すなわち、装飾層６によって）文字や絵（図形）や模様等が描かれるようになっている。本形態では、図１に示すように、媒体２の表面に設計上、装飾体３によって文字「Ａ」が描かれるようになっており、媒体２の表面の、文字「Ａ」が描かれる部分（文字「Ａ」が形成される部分）は、装飾体３の付着領域となっている。すなわち、媒体２の表面の、文字、絵および／または模様等が描かれる部分（文字、絵および／または模様等が形成される部分）は、設計上の装飾体３の付着領域となっている。
【００１８】
インク４は、装飾体３を付着させるための粘着性を有している。装飾体３は、インク４に付着しており、インク層５は、媒体２と装飾層６との間に配置されている。本形態のインク４は、ＵＶ（紫外線）硬化型のインクである。たとえば、インク４は、株式会社ミマキエンジニアリング製の型番「ＬＨ−１００」で特定されるＵＶ硬化型のインクである。このインク４は、完全硬化すると粘着性がなくなる。インク４は、媒体２の表面の、装飾体３の付着領域に塗布されている。すなわち、インク４は、媒体２の表面の、文字「Ａ」が形成される部分に塗布されている。インク４は、色付きインクであり、インク４の色彩と装飾体３の色彩とは同色または同系色となっている。そのため、媒体２の表面の、装飾体３の付着領域には、装飾体３の色彩と同色または同系色の色彩が着色されている。
【００１９】
本形態では、インク４の色彩と装飾体３の色彩との、ＣＩＥ１９７６Ｌ＊ａ＊ｂ＊色空間における色差ΔＥの絶対値は３０以下となっている。すなわち、媒体２の表面の、装飾体３の付着領域の色彩と装飾体３の色彩との、ＣＩＥ１９７６Ｌ＊ａ＊ｂ＊色空間における色差ΔＥの絶対値は３０以下となっている。なお、ＣＩＥ１９７６Ｌ＊ａ＊ｂ＊色空間は、ＪＩＳＺ８７８１−４で規定されている。
【００２０】
（印刷物の製造方法）
図３は、図１に示す印刷物１の製造方法を説明するための図である。
【００２１】
印刷物１を製造する際には、まず、媒体２の表面にインク４を塗布してインク層５を形成する（インク塗布工程）。インク塗布工程では、インクジェットプリンターによって、インク４を媒体２の表面に塗布する。たとえば、図３（Ａ）に示すように、媒体２の上方に配置されるインクジェットヘッド８から媒体２にインク４を吐出させてインク４を媒体２の表面に塗布し、媒体２の表面にインク層５を形成する。また、インク塗布工程では、図３（Ｂ）に示すように、媒体２の表面の、文字「Ａ」が形成される部分にインク４を塗布する。インクジェットヘッド８は、シアン、マゼンタ、イエローおよびブラックの基本色のインクのそれぞれを吐出する複数のノズルを備えており、媒体２の表面に塗布されるインク４の色彩は、インクジェットヘッド８のノズルから吐出されるシアン、マゼンタ、イエローおよびブラックの基本色のインクの混合比によって調整される。
【００２２】
なお、予め所定の色に調整されたインク４がインクジェットヘッド８のノズルから吐出されても良い。また、一般には、インクジェットヘッド８から吐出されるインク４の量を減らすことで、淡い色彩のインク４を媒体２の表面に塗布するが、透明なインク（クリアインク）を混合することで、インクジェットヘッド８から吐出されるインク４の量を減らさずに、淡い色彩のインク４を媒体２の表面に塗布しても良い。この場合には、淡い色彩のインク４が媒体２の表面に塗布される場合であっても、インクジェットヘッド８から吐出されるインク４の量を一定に保つことが可能になるため、装飾体３の付着力の低下を防止することが可能になる。
【００２３】
その後、インク塗布工程で媒体２の表面に塗布されたインク４を半硬化させる（インク半硬化工程）。具体的には、インク４の粘度が２００ｍＰａ・ｓｅｃ以上となるように、インク４を半硬化（半乾燥）させる。その後、図３（Ｃ）、（Ｄ）に示すように、インク層５の表面に装飾体３を蒔いてインク４に装飾体３を付着させ（すなわち、インク層５にフロッキー粉末を植毛し）、インク層５の表面に装飾層６を形成する。このときには、媒体２の表面の、インク層５から外れた箇所にも装飾体３を蒔く。その後、インク層５に向かって装飾層６を押圧して装飾体３をインク４に定着させてから、余分な装飾体３を払い落す。その後、インク層５に紫外線を照射してインク４を完全硬化させる（インク完全硬化工程）。その後、さらに、余分な装飾体３を払い落すと、印刷物１の製造が完了する。
【００２４】
（本形態の主な効果）
以上説明したように、本形態では、媒体２の表面の、装飾体３の付着領域に、装飾体３の色彩と同色または同系色のインク４が塗布されており、媒体２の表面の、装飾体３の付着領域には、装飾体３の色彩と同色または同系色の色彩が着色されている。そのため、本形態では、装飾体３を用いて媒体２の表面に文字や絵等を描く場合に、図１に示すように、装飾体３の付着領域の全体（文字「Ａ」が形成される部分の全体）に装飾体３を付着させることができなくても、装飾体３の付着領域に着色された色彩（すなわち、インク４の色彩）によって文字や絵等の全体像をはっきりさせることが可能になる。具体的には、文字「Ａ」の全体像をはっきりさせることが可能になる。また、本形態では、装飾体３を用いて媒体２の表面に文字や絵等を描く場合に、図１に示すように、装飾体３によって文字や絵等の輪郭をはっきりさせることができなくても、装飾体３の付着領域に着色された色彩によって文字や絵等の輪郭をはっきりさせることが可能になる。具体的には、文字「Ａ」の輪郭をはっきりさせることが可能になる。したがって、本形態では、粉末状の装飾体３を用いて媒体２の表面に文字や絵等を描く場合であっても、描かれる文字や絵等をはっきりと表現することが可能になる。
【００２５】
なお、図４（Ａ）に示すように、たとえば、媒体２の表面の、装飾体３の付着領域に、透明なインク５４が塗布されて透明なインク層５５が形成されている場合に、装飾体３を用いて媒体２の表面に文字や絵等を描くと、図４（Ｂ）に示すように、文字や絵等の全体像をはっきりさせることができない。また、文字や絵等の輪郭をはっきりさせることもできない。
【００２６】
本形態では、インクジェットプリンターによってインク４を媒体２の表面に塗布している。そのため、本形態では、装飾体３の付着領域に塗布されるインク４の吐出量を非常に少なくすることが可能になり、塗布されたインク４の広がりを容易に予測することが可能になる。したがって、本形態では、装飾体３の付着領域に高精度でインク４を塗布することが可能になり、その結果、媒体２の表面に文字や絵等の輪郭を精度良く描くことが可能になる。
【００２７】
また、本形態では、媒体２の表面に塗布されたインク４をインク半硬化工程で半硬化させた後に、インク４に装飾体３を付着させてから、インク完全硬化工程でインク４を完全硬化させているため、インクジェットプリンターによって比較的粘度の低いインク４が塗布されても、装飾体３を付着させるときのインク４のだれを防止することが可能になる。したがって、本形態では、媒体２の表面に文字や絵等を精度良く描くことが可能になる。
【００２８】
なお、本形態では、インク４の色彩と装飾体３の色彩との、ＣＩＥ１９７６Ｌ＊ａ＊ｂ＊色空間における色差ΔＥの絶対値は３０以下となっているが、インク４の色彩と装飾体３の色彩との、ＣＩＥ１９７６Ｌ＊ａ＊ｂ＊色空間における色差ΔＥの絶対値は５以下となっていることが好ましい。この場合には、インク４の色彩と装飾体３の色彩との見分けがつかなくなるため、媒体２の表面に描かれる文字や絵等をよりきれいに表現することが可能になる。
【００２９】
（他の実施の形態）
上述した形態では、インク４が完全硬化するとインク４の粘着性がなくなるため、インク塗布工程で媒体２の表面に塗布されたインク４を半硬化させてから、インク層５の表面に装飾体３を蒔いてインク４に装飾体３を付着させ、その後、インク４を完全硬化させている。この他にもたとえば、完全硬化しても粘着性を有するインク４を用いる場合には、インク塗布工程で媒体２の表面に塗布されたインク４を完全硬化させた後に、インク層５の表面に装飾体３を蒔いてインク４に装飾体３を付着させても良い。この場合のインク４は、たとえば、株式会社ミマキエンジニアリング製の型番「ＰＲ−１００」で特定されるＵＶ硬化型のインクである。また、インク４の粘度が比較的高いのであれば、インク塗布工程で媒体２の表面に塗布されたインク４を半硬化させることなく、インク層５の表面に装飾体３を蒔いてインク４に装飾体３を付着させた後にインク４を完全硬化させても良い。
【００３０】
上述した形態では、インク４は、ＵＶ硬化型のインクであるが、インク４は、紫外線以外の活性エネルギー線を照射することで硬化する活性エネルギー線硬化型のインクであっても良い。この場合のインク４は、溶剤で希釈されたインクであっても良い。また、インク４は、ラテックスインクであっても良いし、熱硬化性樹脂を含む水性インクまたは溶剤インクであっても良い。
【００３１】
上述した形態では、装飾体３は、繊維状のフロッキー粉末であるが、装飾体３は、メタリック粉末であっても良い。たとえば、装飾体３は、金色や銀色等の地色を有するメタリック粉末、あるいは、金色や銀色等に着色されたメタリック粉末であっても良い。この場合、印刷物１を製造する際には、たとえば、図５（Ａ）に示すように、媒体２の表面の黒色に着色された部分に、装飾体３の色彩と同色または同系色のインク４をインクジェットプリンターで塗布してインク層５を形成する。その後、上述した形態と同様に、インク層５の表面に装飾体３を蒔いてインク４に装飾体３を付着させ、インク層５の表面に装飾層６を形成する（図５（Ｂ）参照）。
【００３２】
この場合、図５（Ｂ）に示すように、装飾体３の付着領域の全体（星形等の図形が形成される部分の全体）に装飾体３を付着させることができなくても、装飾体３の付着領域に着色された色彩によって文字や絵等の全体像をはっきりさせることが可能になるとともに、装飾体３によって文字や絵等の輪郭をはっきりさせることができなくても、装飾体３の付着領域に着色された色彩によって文字や絵等の輪郭をはっきりさせることが可能になる。具体的には、星形等の図形の全体像および輪郭をはっきりさせることが可能になる。したがって、上述した形態と同様の効果を得ることができる。なお、図５に示す例において、媒体２の表面の、装飾体３の付着領域に、透明なインクが塗布されて透明なインク層が形成されていると、装飾体３を用いて媒体２の表面に文字や絵等を描いたときに、図６に示すように、文字や絵等の全体像および輪郭をはっきりさせることはできない。
【００３３】
また、装飾体３がメタリック粉末である場合には、装飾層６の少なくとも一部の表面を覆う透明または淡色の保護層が形成されても良い。また、図５に示す例では、星形等の図形の全体（図５（Ａ）の斜線で示す部分の全体）にインク層５が形成されているが、図形の一部にインク層５が形成されても良い。この場合には、インク層５が形成された部分に装飾体３が付着する。また、装飾体３は、蛍光性を有する部材の粉末であっても良いし、蓄光性を有する部材の粉末であっても良い。また、装飾体３は、雲母の粉末であっても良い。
【符号の説明】
【００３４】
１  印刷物
２  媒体
３  装飾体
４  インク
【図１】
0006570107.tif 000002
【図２】
0006570107.tif 000003
【図３】
0006570107.tif 000004
【図４】
0006570107.tif 000005
【図５】
0006570107.tif 000006
【図６】
0006570107.tif 000007